(57)【要約】      （修正有）【課題】構造の変更によって製品の信頼性を向上させることのできるコネクタユニットを提供する。【解決手段】印刷回路基板に接続可能であり、一側に挿入口が形成された第１コネクタボディ４１１と、前記挿入口の内部に配置される第１端子部４１３とを含む第１コネクタ４１０と、前記第１コネクタと接続可能であり、その第１側面に前記挿入口に挿入され前記第１端子部と電気的に接続可能な第２端子部４５２が形成される第２コネクタボディ４５１と、該第２コネクタボディの上面部及び下面部に形成されて前記挿入口の上側及び下側縁部と係合する第１固定突起４５３ａ及び第２固定突起４５４とを含む第２コネクタとを有する。【選択図】図３
2010050099.tif 000002
【特許請求の範囲】
【請求項１】
印刷回路基板に接続可能であり、一側に挿入口が形成された第１コネクタボディと、前記挿入口の内部に配置される第１端子部とを含む第１コネクタと、
前記第１コネクタと接続可能であり、その第１側面に前記挿入口に挿入され前記第１端子部と電気的に接続可能な第２端子部が形成される第２コネクタボディと、該第２コネクタボディの上面部及び下面部に形成されて前記挿入口の上側及び下側縁部と係合する第１及び第２固定突起とを含む第２コネクタとを有することを特徴とするコネクタユニット。
【請求項２】
前記第１固定突起は、前記第１側面と対向する前記第２コネクタボディの第２側面と前記上面部とが接する上面部の縁部の両側に形成され、
前記第２固定突起は、前記第２側面と前記下面部とが接する下面部の縁部の中央部に形成されることを特徴とする請求項１に記載のコネクタユニット。
【請求項３】
前記第１コネクタは、前記第１固定突起に対応して前記挿入口の上側縁部の両側に形成される第１固定溝と、
前記第２固定突起に対応して前記挿入口の下側縁部の中央部に形成される第２固定溝とをさらに含むことを特徴とする請求項２に記載のコネクタユニット。
【請求項４】
前記第１固定突起は、前記第１側面と対向する前記第２コネクタボディの第２側面と前記上面部とが接する上面部の縁部の一側に形成され、
前記第２固定突起は、前記第２側面と前記下面部とが接する下面部の縁部に形成され、前記第１固定突起が形成された前記上面部の前記一側と対向する他側に形成されることを特徴とする請求項１に記載のコネクタユニット。
【請求項５】
前記挿入口の挿入方向と直交する前記第２コネクタの幅方向での前記第１固定突起の幅と前記第２固定突起の幅とは互いに異なることを特徴とする請求項４に記載のコネクタ。
【請求項６】
前記第１コネクタは、前記第１固定突起に対応して前記挿入口の上側縁部の一側に形成される第１固定溝と、
前記第２固定突起に対応して前記挿入口の下側縁部の前記上側縁部の一側と対向する他側に形成される第２固定溝とをさらに含むことを特徴とする請求項５に記載のコネクタユニット。
【請求項７】
前記第１固定突起は、前記第１側面と対向する前記第２コネクタボディの第２側面と前記上面部とが接する上面部と縁部全体に形成され、
前記第２固定突起は、前記第２側面と前記下面部とが接する下面部の縁部の中央部に形成されることを特徴とする請求項１に記載のコネクタユニット。
【請求項８】
前記第１コネクタは、前記第１固定突起に対応して前記挿入口の上側縁部全体に形成される第１固定溝と、
前記第２固定突起に対応して前記挿入口の下側縁部の中央部に形成される第２固定溝とをさらに含むことを特徴とする請求項７に記載のコネクタユニット。
【請求項９】
前記第１端子部は、複数のコネクタピンを含み、前記第２端子部は、前記コネクタピンが挿入されて電気的に接続される複数のピンホールを含むことを特徴とする請求項１に記載のコネクタユニット。
【請求項１０】
前記第１コネクタボディを前記印刷回路基板に固定させるための固定部材をさらに含むことを特徴とする請求項１に記載のコネクタユニット。
【発明の詳細な説明】
【技術分野】
【０００１】
本発明は、コネクタユニットに関し、より詳しくは、製品の信頼性を向上させることができるコネクタユニットに関する。
【背景技術】
【０００２】
一般的に、液晶表示装置は、液晶の光透過率を利用して画像を表示する液晶表示パネルと液晶表示パネルの下部に配置されて液晶表示パネルに光を提供するバックライトアセンブリと液晶表示パネルを駆動するパネル駆動ユニットとを含む。
【０００３】
パネル駆動ユニットは、液晶表示パネルにデータ信号を伝送するソース印刷回路基板、液晶表示パネルにゲート信号を伝送するゲート印刷回路基板を含む。
【０００４】
ソース印刷回路基板は、コネクタを通じて液晶表示パネル駆動のために必要な画像信号及び制御信号を提供する外部印刷回路基板と接続される。上記コネクタは、ソース印刷回路基板に取り付けられた第１コネクタと第１コネクタが挿入されて結合される第２コネクタとで構成される。
【０００５】
第１及び第２コネクタ各々は、上下及び左右が対称に形成されて、使用者が接続方向を容易に識別することができないため、第２コネクタが第１コネクタに間違って挿入される場合、即ち、上下逆に挿入される場合が発生する。
しかし、上述のように第１コネクタと第２コネクタが間違って接続される場合、コネクタピンが曲がるか、または電源部のショート発生に繋がることになり、回路損失まで発生するという問題点がある。
【発明の概要】
【発明が解決しようとする課題】
【０００６】
そこで、本発明は上記従来のコネクタにおける問題点に鑑みてなされたものであって、本発明の目的は、構造の変更によって製品の信頼性を向上させることのできるコネクタユニットを提供することにある。
【課題を解決するための手段】
【０００７】
上記目的を達成するためになされた本発明によるコネクタユニットは、印刷回路基板に接続可能であり、一側に挿入口が形成された第１コネクタボディと、前記挿入口の内部に配置される第１端子部とを含む第１コネクタと、前記第１コネクタと接続可能であり、その第１側面に前記挿入口に挿入され前記第１端子部と電気的に接続可能な第２端子部が形成される第２コネクタボディと、該第２コネクタボディの上面部及び下面部に形成されて前記挿入口の上側及び下側縁部と係合する第１及び第２固定突起とを含む第２コネクタとを有することを特徴とする。
【０００８】
前記第１固定突起は、前記第１側面と対向する前記第２コネクタボディの第２側面と前記上面部とが接する上面部の縁部の両側に形成され、前記第２固定突起は、前記第２側面と前記下面部とが接する下面部の縁部の中央部に形成されることが好ましい。
前記第１コネクタは、前記第１固定突起に対応して前記挿入口の上側縁部の両側に形成される第１固定溝と、前記第２固定突起に対応して前記挿入口の下側縁部の中央部に形成される第２固定溝とをさらに含むことが好ましい。
【０００９】
前記第１固定突起は、前記第１側面と対向する前記第２コネクタボディの第２側面と前記上面部とが接する上面部の縁部の一側に形成され、前記第２固定突起は、前記第２側面と前記下面部とが接する下面部の縁部に形成され、前記第１固定突起が形成された前記上面部の前記一側と対向する他側に形成されるが好ましい。
前記挿入口の挿入方向と直交する前記第２コネクタの幅方向での前記第１固定突起の幅と前記第２固定突起の幅とは互いに異なることが好ましい。
前記第１コネクタは、前記第１固定突起に対応して前記挿入口の上側縁部の一側に形成される第１固定溝と、前記第２固定突起に対応して前記挿入口の下側縁部の前記上側縁部の一側と対向する他側に形成される第２固定溝とをさらに含むことが好ましい。
【００１０】
前記第１固定突起は、前記第１側面と対向する前記第２コネクタボディの第２側面と前記上面部とが接する上面部と縁部全体に形成され、前記第２固定突起は、前記第２側面と前記下面部とが接する下面部の縁部の中央部に形成されることが好ましい。
前記第１コネクタは、前記第１固定突起に対応して前記挿入口の上側縁部全体に形成される第１固定溝と、前記第２固定突起に対応して前記挿入口の下側縁部の中央部に形成される第２固定溝とをさらに含むことが好ましい。
【００１１】
前記第１端子部は、複数のコネクタピンを含み、前記第２端子部は、前記コネクタピンが挿入されて電気的に接続される複数のピンホールを含むことが好ましい。
前記第１コネクタボディを前記印刷回路基板に固定させるための固定部材をさらに含むことが好ましい。
【発明の効果】
【００１２】
本発明に係るコネクタユニットによれば、第１コネクタに挿入される第２コネクタボディの形状を上下または左右に非対称するように形成し、第１コネクタの形状も第２コネクタの形状と対応するように構成することによって、使用者が改良された第１及び第２コネクタボディの形状に基づき第１及び第２コネクタの接続方向を容易に認識することができるため、第２コネクタが第１コネクタに逆に接続されることを予め防ぐことができる。従って、第１及び第２コネクタの接続誤謬による不良を防げることによって製品の信頼性を向上させることができるという効果がある。
【図面の簡単な説明】
【００１３】
【図１】本発明によるコネクタユニットを用いた表示装置の概略上面図である。
【図２】図１に示す表示装置の背面図である。
【図３】本発明の第１の実施形態によるコネクタユニットの斜視図である。
【図４】図３に示す第１コネクタの背面を示す斜視図である。
【図５】図３に示すソース印刷回路基板の一部を示す斜視図である。
【図６】図３に示す第２コネクタの背面を示す斜視図である。
【図７】図３に示す第１コネクタの第１コネクタボディ４１１の上面図である。
【図８】図３に示す第１コネクタの第１コネクタボディ４１１の下面図である。
【図９】図３のＩ−Ｉ’線に沿って切断した断面図である。
【図１０】第１コネクタと第２コネクタが接続した状態で図３のＩＩ−ＩＩ’線に沿って切断した断面図である。
【図１１】本発明の第２の実施形態によるコネクタユニットの斜視図である。
【図１２】図１１に示す第１コネクタユニットの上面図である。
【図１３】図１１に示す第１コネクタユニットの下面図である。
【図１４】第１コネクタと第２コネクタが接続した状態で図１１のＩＩＩ−ＩＩＩ’線に沿って切断した断面図である。
【図１５】本発明の第３の実施形態によるコネクタユニットの斜視図である。
【図１６】第１コネクタと第２コネクタが接続した状態で図１５のＩＶ−ＩＶ’線に沿って切断した断面図である。
【発明を実施するための形態】
【００１４】
次に、本発明に係るコネクタユニットを実施するための形態の具体例を図面を参照しながら説明する。
【００１５】
本発明は多様な変更を加えることができ、様々な形態を有することができるため、特定実施形態を図面に例示して詳しく説明する。しかし、これは本発明を特定の開示形態に対して限定しようとすることではなく、本発明の思想及び技術範囲に含まれる全ての変更、均等物、ないしは代替物を含むことと理解されるべきである。
各図面を説明において同様の参照符号は、同様な構成要素に対して使用した。図面において、構造物のサイズは本発明の明確性に基づくために実際より拡大して示した。
第１、第２などの用語は多様な構成要素を説明するにあたって使用することができるが、各構成要素は使用される用語によって限定されるものではない。各用語は１つの構成要素を他の構成要素と区別する目的で使用されるものであって、例えば、明細書中において、第１構成要素を第２構成要素に書き換えることも可能であり、同様に第２構成要素を第１構成要素とすることができる。単数表現は文脈上、明白に異なる意味を有しない限り、複数の表現を含む。
【００１６】
本明細書において、「含む」または「有する」などの用語は、明細書上に記載された特徴、数字、段階、動作、構成要素、部分品、またはこれらを組み合わせたものが存在することを指定しようとすることであって、１つまたはそれ以上の別の特徴、数字、段階、動作、構成要素、部分品、またはこれらを組み合わせたものの存在または付加可能性を予め排除しないことと理解されるべきである。また、層、膜、領域、板などの部分が他の部分の「上に」あるとする場合、これは他の部分の「すぐ上に」ある場合のみでなく、その中間にさらに他の部分がある場合も含む。反対に、層、膜、領域、板などの部分が他の部分の「下に」あるとする場合、これは他の部分の「すぐ下に」ある場合のみでなく、その中間にさらに他の部分がある場合も含む。
また、別に定義しない限り、技術的或いは科学的用語を含んで、ここにおいて使用される全ての用語は本発明が属する技術分野で通常の知識を有する者であれば、一般的に理解されることと同一な意味を有する。一般的に使用される辞書において定義する用語と同じ用語は関連技術の文脈上に有する意味と一致する意味を有することと理解されるべきで、本明細書において明白に定義しない限り、理想的或いは形式的な意味として解釈しない。
【００１７】
図１は、本発明によるコネクタユニットを用いた表示装置の概略上面図であり、図２は、図１に示す表示装置の背面図である。
【００１８】
図１及び図２を参照すると、表示装置は、表示パネル１００、ソース印刷回路基板２００、ゲート印刷回路基板３００、及びソース印刷回路基板２００に結合されたコネクタユニット４００を含む。
【００１９】
表示パネル１００は、薄膜トランジスタを有するアレイ基板１１０、共通電極及びカラーフィルタを有するカラーフィルタ基板１２０、及びアレイ基板１１０とカラーフィルタ基板１２０との間に介在する液晶層（図示せず）を含む。
【００２０】
アレイ基板１１０には、互いに直交する方向に延長された複数のデータラインＤＬと複数のゲートラインＧＬとに電気的に接続された複数の画素部Ｐに形成される。各画素部Ｐは、スイッチング素子ＳＷ、液晶キャパシタＣＬＣ、及びストレージキャパシタＣＳＴを含む。スイッチング素子ＳＷは、薄膜トランジスタ（Ｔｈｉｎ  Ｆｉｌｍ  Ｔｒａｎｓｉｓｔｏｒ：ＴＦＴ）を含み、ゲートラインを通じて伝達されるゲート信号に応答してターンオンしてデータラインを通じて伝達されるデータ信号を液晶キャパシタＣＬＣ及びストレージキャパシタＣＳＴに提供する。
【００２１】
液晶キャパシタＣＬＣは、ＴＦＴに電気的に接続された一端と、共通電圧Ｖｃｏｍを提供する共通電極端（図示せず）に電気的に接続されて、データ信号に対応する電圧を保存する。ストレージキャパシタＣＳＴは、ＴＦＴに電気的に接続された一端とストレージ電圧Ｖｓｔを提供するストレージ電極端（図示せず）に電気的に接続されて、データ信号に対応する電圧を保存する。
【００２２】
表示パネル１００は、データ駆動回路フィルム２３０及びゲート駆動回路フィルム３３０を通じて各々ソース印刷回路基板２００及びゲート印刷回路基板３００と接続される。データ駆動回路フィルム２３０及びゲート駆動回路フィルム３３０は、一例として、テープキャリアパッケージ（Ｔａｐｅ  Ｃａｒｒｉｅｒ  Ｐａｃｋａｇｅ：ＴＣＰ）又はチップオンフィルム（Ｃｈｉｐ  Ｏｎ  Ｆｉｌｍ：ＣＯＦ）から構成することができる。また、ゲート印刷回路基板３００及びゲート駆動回路フィルム３３０を除去し、表示パネル１００のアレイ基板１１０上にゲート駆動回路を直接形成してもよい。
【００２３】
ソース印刷回路基板２００は、表示パネル１００と電気的に接続される。ソース印刷回路基板２００には、メイン駆動回路２１０が取り付けられる。メイン駆動回路２１０は、コネクタユニット４００を通じて外部印刷回路基板５００と電気的に接続される。メイン駆動回路２１０は、コネクタユニット４００を通じて外部印刷回路基板５００から制御信号及び画像信号を受信する。
【００２４】
メイン駆動回路２１０は、制御信号に基づいてデータ駆動回路フィルム２３０の駆動を制御するためのデータ制御信号、ゲート駆動回路フィルム３３０の駆動を制御するためのゲート制御信号を生成する。データ制御信号は、水平開始信号、反転信号、及び出力イネーブル信号などを含む。ゲート制御信号は、垂直開始信号、ゲートクロック信号、及び出力イネーブル信号などを含む。
【００２５】
ソース印刷回路基板２００は、データ駆動回路フィルム２３０を折り曲げることによってバックライトアセンブリ６００の背面に取り付けることが可能である。ソース印刷回路基板２００にはコネクタユニット４００が結合される溝（ソース印刷回路基板２００の側面に対して）が形成されてもよい。
【００２６】
コネクタユニット４００は、上記溝上に配置されるようにソース印刷回路基板２００と結合される。コネクタユニット４００は、ソース印刷回路基板２００に形成された溝（孔）の部位で物理的に固定され、メイン駆動回路２１０と電気的に接続された第１コネクタ４１０と第１コネクタ４１０と接続される第２コネクタ４５０からなる。
【００２７】
第１コネクタ４１０は、一側に挿入口が形成された第１コネクタボディ及び挿入口の内部に配置された第１端子部を含む。
第２コネクタ４５０は、挿入口に挿入され、第１端子部と電気的に接続される第２端子部が形成された第２コネクタボディ、及び第２コネクタボディの上面部及び下面部に形成されて挿入口の上側及び下側縁部と係合する第１及び第２固定突起を含む。コネクタユニット４００の詳しい説明は、図３及び図１６を参照に後述する。
【００２８】
データ駆動回路フィルム２３０には、データ駆動チップ２５０が取り付けられる。データ駆動回路フィルム２３０は、一端部はソース印刷回路基板２００と電気的に接続され、他端部は、表示パネル１００と電気的に接続される。データ駆動チップ２５０は、メイン駆動回路２１０から画像信号及びデータ制御信号を受信し、データ制御信号に基づいて画像信号をアナログデータ電圧に変換して表示パネル１００に提供する。
【００２９】
ゲート駆動回路フィルム３３０には、ゲート駆動チップ３５０が取り付けられる。ゲート印刷回路基板３００は、図に示さなかったが、別途の信号ラインを通じてソース印刷回路基板２００と電気的に接続され、信号ラインを通じてソース印刷回路基板２００からゲート制御信号の提供を受ける。ゲート駆動チップ３５０は、ゲート印刷回路基板３００を通じてゲート制御信号の提供を受けて表示パネル１００に提供する。
【００３０】
図３は、本発明の第１の実施形態によるコネクタユニットの斜視図であり、図４は、図３に示す第１コネクタの背面を示す斜視図である。
【００３１】
図３及び図４を参照すると、コネクタユニット４００は、第１コネクタ４１０及び第２コネクタ４５０を含む。
第１コネクタ４１０は、第１コネクタボディ４１１及び第１端子部４１３を含む。
【００３２】
第１コネクタボディ４１１は、ソース印刷回路基板２００に形成された溝と接する下面部と、下面部と接続された複数の側面と、側面と接続された上面部とを含む直方体形状を有する。第１コネクタボディ４１１の第１側面には第２コネクタ４５０が挿入される挿入口４１２が形成される。
【００３３】
第１端子部４１３は、挿入口４１２の内部に配置される。第１端子部４１３は、ここでは、第１側面と対向する第２側面から挿入口４１２の方向に向かって突出した複数のピンである。以下においては、第１端子部４１３をピンと称して説明を進める。
【００３４】
第１コネクタ４１０は、複数の第１信号線４１４をさらに含んでもよい。第１信号線４１４は、第１コネクタボディ４１１のうち、ピン４１３が形成された側面と対向する側面から突出される。第１信号線４１４の一端部は、第１コネクタボディ４１１の内部に配置されたピン４１３と接続され、一端部と対向する他端部は、はんだによってソース印刷回路基板２００の信号線と接続される。
【００３５】
また、第１コネクタボディ４１１には、ソース印刷回路基板２００をガイドするガイド部４３０が形成されてもよい。ガイド部４３０は、図４に示すように、第１コネクタボディ４１１の下面部に第２固定溝４１６と同じ幅で形成され、所定の高さに突出される。ガイド部４３０は、第１コネクタボディの下面部に配置されて下面部の両端と組み合わさるソース印刷回路基板２００の厚さと同一の高さで形成されてもよい。
【００３６】
図５は、図３に示すソース印刷回路基板の一部を示す斜視図である。
図５を参照すると、ソース印刷回路基板２００は、溝２０５が形成される。ソース印刷回路基板２００は、溝２０５と組み合わさる第１コネクタボディ４１１の下面部両端と接触する第１結合部２２０ａ及び第２結合部２２０ｂを含む。第１結合部２２０ａは、溝２０５の第１側面２０５ａから第１方向Ｄ１に延長され、第２結合部２２０ｂは、第１側面２０５ａと対向する溝２０５の第２側面２０５ｂから第１結合部２２０ａ方向に延長される。
【００３７】
第１コネクタ４１０が、ソース印刷回路基板２００と組み合わされると、第１及び第２結合部（２２０ａ、２２０ｂ）は、第１コネクタボディ４１１の下面部に沿って配置され、ガイド部４３０を固定させる。
【００３８】
第１コネクタボディ４１１の下面部の一部は、はんだ、または異方性導電フィルム（Ａｎｉｃｏｔｒｏｐｉｃ  Ｃｏｎｄｕｃｔｉｖｅ  Ｆｉｌｍ）を媒体としてソース印刷回路基板２００の第１及び第２結合部（２２０ａ、２２０ｂ）と結合されてもよい。異方性導電フィルムは、接着物質と接着物質内に形成された導電性粒子からなる。
【００３９】
第２コネクタ４５０は、第２コネクタボディ４５１、第１固定突起（４５３ａ、４５３ｂ）及び第２固定突起４５４を含む。
第２コネクタボディ４５１は、上面部、下面部、及び上面部と下面部を接続する複数の側面を含む直方体形状を有する。
【００４０】
第２コネクタボディ４５１は、第２端子部４５２を含む。第２端子部４５２は、第２コネクタボディ４５１の側面のうち、ピン４１３と対向する第１側面にピン４１３と対応して形成される。第２端子部４５２は、ピン４１３が挿入されて電気的に接続される複数のピンホールであってもよい。以下においては、第２端子部４５２をピンホールと称して説明を進める。
【００４１】
第１固定突起（４５３ａ、４５３ｂ）は、第２コネクタボディ４５１の上面部に形成される。例えば、第１固定突起（４５３ａ、４５３ｂ）は、ピンホール４５２が形成された第１側面と対向する第２側面と接する上面部の縁部の両側に形成される。
第２固定突起４５４は、第２コネクタボディ４５１の下面部に形成される。
【００４２】
図６は、図３に示す第２コネクタの背面を示す斜視図である。
図６を参照すると、第２固定突起４５４は、第２側面と接する下面部の縁部の中央部に形成される。
【００４３】
再度、図３を参照すると、第２コネクタ４５０は、複数の第２信号線４５５をさらに含んでもよい。第２信号線４５５の一端部は、ピンホール４５２内部の接続端子と電気的に接続され、他端部は、外部印刷回路基板５００に形成されたコネクタ５１０と電気的に接続される。
【００４４】
図７及び図８は、図３に示す第１コネクタに対する平面図であり、図７は、第１コネクタボディ４１１の上面図であり、図８は、第１コネクタボディ４１１の下面図である。
【００４５】
図３、図７、及び図８を参照すると、第１コネクタ４１０は、第１固定溝（４１５ａ、４１５ｂ）及び第２固定溝４１６をさらに含む。第１固定溝（４１５ａ、４１５ｂ）は、第１コネクタボディ４１１の上面部の縁部に形成され、第２固定溝４１６は、第１コネクタボディ４１１の下面部の縁部に形成される。
【００４６】
具体的には、図７に示すように、第１固定溝（４１５ａ、４１５ｂ）は、第１固定突起（４５３ａ、４５３ｂ）に対応して挿入口４１２の上側縁部の両側に形成される。第２固定溝４１６は、図８に示すように、第２固定突起４５４に対応して挿入口４１２の下側縁部に形成される
【００４７】
図９は、図３のＩ−Ｉ’線に沿って切断した断面図であり、図１０は、第１コネクタと第２コネクタが接続した状態で図３のＩＩ−ＩＩ’線に沿って切断した断面図である。
【００４８】
図３、図９、及び図１０を参照すると、第２コネクタ４５０は、第１コネクタ４１０と嵌合接続する。具体的には、第２コネクタボディ４５１が、第１コネクタ４１０の挿入口４１２に挿入されると、第１コネクタ４１０の挿入口４１２内に配置されたピン４１３は、第２コネクタボディ４５１に形成されたピンホール４５２に挿入されて電気的に接続される。
【００４９】
また、第２コネクタボディ４５１が、第１コネクタ４１０の挿入口４１２に挿入されると、第２コネクタ４５０に形成された第１固定突起（４５３ａ、４５３ｂ）は、第１コネクタ４１０に形成された第１固定溝（４１５ａ、４１５ｂ）と係合固定し、第２固定突起４５４は、第２固定溝４１６と係合固定する。ソース印刷回路基板２００は、第１固定溝（４１５ａ、４１５ｂ）が形成された部分と対応する部分まで延長されて第１コネクタボディ４１１の下面部の両端と結合する。
【００５０】
第１コネクタボディ４１１は、別途の固定部材４６０を通じてソース印刷回路基板２００に固定されてもよい。固定部材４６０は、はんだ、または異方性導電フィルムと組み合わせて第１コネクタボディ４１１をソース印刷回路基板２００に固定させることができる。
【００５１】
固定部材４６０は、一端が第１コネクタボディ４１１の側面に形成された結合溝に挿入して固定され、他端は、はんだ、または異方性導電フィルムを通じてソース印刷回路基板２００の上面部に固定するように形成される。
【００５２】
上述のように、第１コネクタ４１０に挿入する第２コネクタボディ４５１の上面部及び下面部の形状を異なるように構成し、第１コネクタ４１０の形状も第２コネクタ４５０の形状と対応するように構成することによって、既存の上下左右対称に形成されたコネクタと異なって、一定方向の結合のみが可能であるため、第１及び第２コネクタ（４１０、４５０）の接続の際、接続誤謬が発生することを予め防ぐことができる。
【００５３】
また、第１コネクタ４１０は、ソース印刷回路基板２００に形成された溝２０５に配置することによって、ソース印刷回路基板２００から第１コネクタ４１０の高さほど突出されず、ソース印刷回路基板２００の厚さほど減少して突出するように配置される。
【００５４】
また、第１コネクタ４１０と接続されるソース印刷回路基板３００の第１及び第２結合部（２２０ａ、２２０ｂ）が第１コネクタボディ４１１の第１固定溝（４５３ａ、４５３ｂ）と対応する部分まで延長することによって、外部から加わる力によって第１コネクタ４１０がソース印刷回路基板２００から容易に分離してしまうことを防ぐことができる。
【００５５】
図１１は、本発明の第２の実施形態によるコネクタユニットの斜視図であり、図１２は、図１１に示す第１コネクタユニットの上面図であり、図１３は、図１１に示す第１コネクタユニットの下面図であり、図１４は、第１コネクタと第２コネクタが接続した状態で図１１のＩＩＩ−ＩＩＩ’線に沿って切断した断面図である。
【００５６】
本実施形態によるコネクタユニットは、第１及び第２固定突起（４５６、４５７）と第１及び第２固定溝（４１７、４１８）の位置、及び固定部材４６１の形状を除いては、第１の実施形態によるコネクタユニットと実質的に同一であるため、同一の構成要素に対しては同一の図面符号を与え、同一の名称で称し、重複される詳しい説明は省略する。
【００５７】
図１１〜図１４を参照すると、第１固定突起４５６は、ピンホール４５２が形成された第２コネクタボディ４５１の第１側面と対向する第２側面と接する上面部の縁部の一側（一例として、右側）に形成される。
【００５８】
第２固定突起４５７は、第２側面と接する第２コネクタボディ４５１の下面部に形成される。第２固定突起４５７は、第１固定突起４５６が形成された上面部の一側と対向する他側（一例として、左側）に形成される。
【００５９】
第１コネクタボディ４１１に形成された挿入口４１２の挿入方向Ｄ２と直交する第２コネクタ４５０の幅方向Ｄ３への第１固定突起４５６の幅ｄ１と第２固定突起４５７の幅ｄ２は、互いに異なるように形成する。このように、第１固定突起４５６と第２固定突起４５７の幅を異なるように形成すれば、使用者が第２コネクタ４５０の挿入方向をより容易に認識することができる。
【００６０】
第１固定溝４１７は、第１固定突起４５６に対応して挿入口４１２の上側縁部に形成される。第２固定溝４１８は、第２固定突起４５７に対応して挿入口４１２の下側縁部に形成され、上側縁部の一側と対向する他側に形成される。
【００６１】
図１４に示すように、第２コネクタ４５０が、第１コネクタ４１０に接続されると、第２コネクタ４５０に形成された第１固定突起４５６は、第１コネクタ４１０に形成された第１固定溝４１７に挿入されて係合固定し、第２固定突起４５７は、第２固定溝４１８に挿入されて係合固定する。第１コネクタ４１０の挿入口４１２内に配置されたピン４１３は、第２コネクタボディ４５１に形成されたピンホール４５２に挿入されて電気的に接続される。固定部材４６１は、はんだ、または異方性導電フィルムと組み合わせて第１コネクタボディ４１１をソース印刷回路基板２００に固定させる。固定部材４６１は、図１１に示すように、第１コネクタボディ４１１の表面の一部を全体的に取り囲むように形成され、その両側の端部は、はんだ、または異方性導電性フィルムを通じてソース印刷回路基板２００の上面部と結合される。
【００６２】
一方、本実施形態においては、第１固定突起４５６の幅ｄ１が、第２固定突起４５７の幅ｄ２より大きく形成した場合を、例として説明したが、これに限定することではない。即ち、第２固定突起４５７の幅ｄ２が、第１固定突起４５６の幅ｄ１より大きくなるように変形されてもよい。また、本実施形態においては、第１固定突起４５６は、上面部の縁部の左側に形成し、第２固定突起４５７は、下面部の縁部の右側に形成した場合を例として説明したが、これに限定することではない。即ち、第１及び第２固定突起（４５６、４５７）は、左右または上下に互いに非対称するように形成すればよい。
【００６３】
図１５は、本発明の第３の実施形態によるコネクタユニットの斜視図であり、図１６は、第１コネクタと第２コネクタが接続した状態で図１５のＩＶ−ＩＶ’線に沿って切断した断面図である。
【００６４】
本実施形態によるコネクタユニットは、第１及び第２固定突起（４５８、４５９）と第１及び第２固定溝（４１９、４２０）の位置を除いては第１の実施形態によるコネクタユニットと実質的に同一であるため、同一構成要素に対しては、同一の図面符号を与え、同一の名称で称し、重複される詳しい説明は省略する。
【００６５】
図１５及び図１６を参照すると、第１固定突起４５８は、ピンホール４５２が形成された第２固定溝４５１の第１側面と対向する第２側面と接する上面部の縁部全体に形成される。
第２固定突起４５９は、第２側面と接する下面部の縁部の中央部に形成される。
【００６６】
第１コネクタ４１０の第１固定溝４１９は、第１固定突起４５８に対応して挿入口４１２の上側縁部全体に形成される。第２固定溝４２０は、第２固定突起４５９に対応して挿入口４１２の下側縁部の中央部に形成される。
【００６７】
図１６に示すように、第２コネクタ４５０が、第１コネクタ４１０に接続されると、第２コネクタ４５０に形成された第１固定突起４５８は、第１コネクタ４１０に形成された第１固定溝４１９に挿入されて係合固定し、第２固定突起４５９は、第２固定溝４２０に挿入されて係合固定する。第１コネクタ４１０の挿入口４１２内に配置されたピン４１３は、第２コネクタボディ４５１に形成されたピンホール４５２に挿入されて電気的に接続される。
【００６８】
尚、本発明は、上述の実施形態に限られるものではない。本発明の技術的範囲から逸脱しない範囲内で多様に変更実施することが可能である。
【産業上の利用可能性】
【００６９】
液晶表示装置のパネル駆動ユニットのコネクタユニットなど、信号等を伝送するコネクタユニットを有する全ての電子機器に適用可能である。
【符号の説明】
【００７０】
１００    表示パネル
２００    ソース印刷回路基板
２０５    溝
２１０    メイン駆動回路
２２０ａ、２２０ｂ    （第１及び第２）結合部
２３０    データ駆動回路フィルム
２５０    データ駆動チップ
３００    ゲート印刷回路基板
３３０    ゲート駆動回路フィルム
３５０    ゲート駆動チップ
４００    コネクタユニット
４１０    第１コネクタ
４１１    第１コネクタボディ
４１３    第１端子部（ピン）
４５０    第２コネクタ
４５１    第２コネクタボディ
４５２    第２端子部（ピンホール）
４５３ａ、４５３ｂ、４５６、４５８    第１固定突起
４５４、４５７、４５９    第２固定突起
４１５ａ、４５１ｂ、４１７、４１９    第１固定溝
４１６、４１８、４２０    第２固定溝
４３０    ガイド部
４６０、４６１    固定部材
５００    外部印刷回路基板
【図１】
2010050099.tif 000003
【図２】
2010050099.tif 000004
【図３】
2010050099.tif 000005
【図４】
2010050099.tif 000006
【図５】
2010050099.tif 000007
【図６】
2010050099.tif 000008
【図７】
2010050099.tif 000009
【図８】
2010050099.tif 000010
【図９】
2010050099.tif 000011
【図１０】
2010050099.tif 000012
【図１１】
2010050099.tif 000013
【図１２】
2010050099.tif 000014
【図１３】
2010050099.tif 000015
【図１４】
2010050099.tif 000016
【図１５】
2010050099.tif 000017
【図１６】
2010050099.tif 000018